【手続補正書】
【提出日】平成18年4月10日(2006.4.10)
【手続補正１】
【補正対象書類名】明細書
【補正対象項目名】特許請求の範囲
【補正方法】変更
【補正の内容】
【特許請求の範囲】
【請求項１】  ランダムアクセススライド染色機能を有する顕微鏡スライド染色装置であって、
生物学的サンプルを載せた複数の顕微鏡スライドを支持する移動プラットフォームと、
複数の加熱素子セットであって、その各セットは少なくとも一つの加熱素子を有し、少なくとも一つのスライドを加熱し、前記加熱素子セットの各々が異なる温度に加熱される機能を有する、複数の加熱素子セットと、
前記移動プラットフォームに取付けられ、前記加熱素子セットに電力を供給する温度制御電子回路と、
前記移動プラットフォームから離れて取付けられ、前記温度制御電子回路と通信するユーザインタフェースであって、これを介して顕微鏡スライドに対する所望の温度が指定される、ユーザインタフェースとを備えた顕微鏡スライド染色装置。
【請求項２】  請求項１において、前記温度制御電子回路が前記移動プラットフォーム上を移動可能であり、前記移動プラットフォーム上に取付けられていないユーザインタフェースが配線グループを介して電気的に通信する、顕微鏡スライド染色装置。
【請求項３】  請求項２において、前記配線グループの配線数が前記加熱素子セットの数より少ない顕微鏡スライド染色装置。
【請求項４】  請求項１において、前記温度制御電子回路が前記ユーザインタフェースからコントロールデータを受け取るシフトレジスタを備えた顕微鏡スライド染色装置。
【請求項５】  請求項１において、さらに、温度フィードバック情報を前記温度制御電子回路に提供する温度センサを備えた顕微鏡スライド染色装置。
【請求項６】  請求項１において、各加熱素子セットが単一のスライドを加熱する顕微鏡スライド染色装置。
【請求項７】  請求項１において、前記各加熱素子セットが平坦なスライド支持面を備えた顕微鏡スライド染色装置。
【請求項８】  ランダムアクセススライド染色機能を有する顕微鏡スライド染色装置であって、
移動プラットフォーム上に配置されて、生物学的サンプルを載せる複数の顕微鏡スライドと、
前記移動プラットフォーム上の複数の加熱素子セットであって、その各セットは少なくとも一つの加熱素子を有して、少なくとも一つのスライドを加熱することが可能であり、さらにその各セットは他の加熱素子セットとは異なる温度に加熱できる、複数の加熱素子セットと、
前記移動プラットフォームから離れた位置に取付けられて、各顕微鏡スライドに対する所望の温度が指定されるユーザインタフェースであって、電子回路を備えたユーザインタフェースと、
前記移動プラットフォーム上の前記加熱素子と前記ユーザインタフェースとの間を電気接続する配線グループであって、配線数が前記ヒータ素子セットの数よりも少ない配線グループとを備えた顕微鏡スライド染色装置。
【請求項９】  請求項８において、さらに、前記ユーザインタフェースに温度フィードバックデータを提供する温度感知手段を備えた顕微鏡スライド染色装置。
【請求項１０】  生物学的サンプルの調整または培養の自動化装置であって、
複数の生物学的サンプルを支持する移動プラットフォームと、
前記移動プラットフォーム上に配置されて、一つまたは複数のサンプルに熱を供給する複数のヒータと、
前記移動プラットフォームから離れて取付けられ、前記各ヒータに対する所望の温度を指定するコンピュータと、
前記各ヒータを別々に加熱制御するコントローラであって、このコントローラは、
前記移動プラットフォーム上に取付けられて、各々が電力を少なくとも一つのヒータに供給する複数の温度制御電子回路と、
前記コンピュータと前記温度制御電子回路の各々との間のデータ通信リンクであって、前記温度制御電子回路の各々は、各ヒータがコンピュータにより指定された温度に加熱されるように、適切な電力量を前記ヒータの各々に供給するデータ通信リンクとを有する、各ヒータを別々に制御するコントローラとを備えた、生物学的サンプルの作成または培養の自動化装置。
【請求項１１】  請求項１０において、前記生物学的サンプルは顕微鏡ガラススライド上に取付けられる、生物学的サンプルの調整または培養の自動化装置。
【請求項１２】  請求項１０において、さらに、前記コンピュータに温度フィードバックを提供する温度センサを備えた、生物学的サンプルの調整または培養の自動化装置。
【請求項１３】  ランダムアクセススライド染色機能を有する顕微鏡スライド染色装置であって、
生物学的サンプルを載せた複数の顕微鏡スライドを支持する移動プラットフォームと、
それぞれが少なくとも一つのスライドを加熱する複数の加熱手段であって、各加熱手段が異なる温度に加熱する機能を持つ、複数の加熱手段と、
前記移動プラットフォームに取付けられて、前記加熱手段に電力を供給する温度制御手段と、
前記移動プラットフォームから離れて取付けられて、前記各顕微鏡スライドに対する所望の温度を指定する前記温度制御手段と通信するユーザインタフェース手段とを備えた顕微鏡スライド染色装置。
【請求項１４】  請求項１において、前記温度制御電子回路が、前記ユーザインタフェースによって指定された倍数で加熱するように各加熱素子セットに電力を供給し、各加熱素子セットを他の加熱素子セットとは異なる温度に加熱できる、顕微鏡スライド染色装置。
【請求項１５】  ランダムアクセススライド染色機能を有する顕微鏡スライド染色装置であって、
生物学的サンプルを載せた複数の顕微鏡スライドを支持する移動プラットフォームと、
前記移動プラットフォーム上に配置された複数のヒータであって、各ヒータは少なくとも一つのスライドを加熱する複数のヒータと、
前記ヒータを別々に加熱制御する独立の温度コントローラであって、異なるサンプルを異なる温度に加熱できるように、前記ヒータに電力を供給する温度制御電子回路を有する、独立の温度コントローラとを備えた、顕微鏡スライド染色装置。
【請求項１６】
請求項１５において、さらに、複数の温度センサを備え、各センサはヒータに組み込まれている顕微鏡スライド染色装置。
【請求項１７】
請求項１５において、さらに、液試薬を顕微鏡スライドに分配できる少なくとも一つの試薬分配器を備え、前記移動プラットフォームが、前記試薬分配器の下にあるいずれのスライド上にも試薬を前記試薬分配器から分配することができる顕微鏡スライド染色装置。
【請求項１８】
請求項１５において、さらに、前記温度コントローラをコンピュータに接続するサービスループを備え、各ヒータが所望の温度に加熱されるように、前記温度コントローラは各ヒータへの電力量を調整する、顕微鏡スライド染色装置。
【請求項１９】
請求項１５において、試薬が、試薬分配器から定位置で分配される、顕微鏡スライド染色装置。
【請求項２０】
請求項１５において、前記試薬分配器が、さらに、液タンクおよび計量チャンバを備え、液は、スライド上に分配される前に、この液タンクから出てこの計量チャンバに入って流れていく顕微鏡スライド染色装置。
【請求項２１】
請求項１５において、前記移動プラットフォームが円形コンベアである顕微鏡スライド染色装置。
【請求項２２】
試薬の適用情報および生物学的組織を取付ける複数の顕微鏡スライドを加熱する情報を備えた染色プロトコルプログラムと、
複数の加熱ステーションであって、各加熱ステーションは加熱素子からなり、少なくとも一つの顕微鏡スライドに熱を伝えるように、少なくとも一つの顕微鏡スライドが各加熱素子の表面に載っている複数の加熱ステーションと、
顕微鏡スライド上に液試薬を分配できる少なくとも一つの試薬分配器と、
前記染色プロトコルプログラムにおいて指定されたとおりに、前記試薬分配器の下にある所望の顕微鏡スライド上に試薬を前記試薬分配器から分配することができる移動プラットフォームと、
前記染色プロトコルプログラムにおいて指定されたとおりに、完全なランダムアクセス
が可能となるように、装置の機能を制御するコンピュータであって、加熱素子がスライドを異なる温度に加熱することを可能にするコンピュータとを備えた顕微鏡スライド染色装置。
【請求項２３】
請求項２２において、前記移動プラットフォームが前記顕微鏡スライドを動かし、試薬が試薬分配器から定位置で分配される、顕微鏡スライド染色装置。
【請求項２４】
請求項２２において、各加熱ステーションが単一の顕微鏡スライドのみを加熱する顕微鏡スライド染色装置。
【請求項２５】
請求項２２において、さらに、複数のセンサを備え、各センサは加熱ステーションに組み込まれている顕微鏡スライド染色装置。
【請求項２６】
請求項２２において、前記試薬分配器は、さらに、液タンクおよび計量チャンバを備え、液は、スライド上に分配される前に、この液タンクから出てこの計量チャンバに入って流れていく顕微鏡スライド染色装置。
【請求項２７】
請求項２２において、前記移動プラットフォームが円形コンベアである顕微鏡スライド染色装置。